(57)【要約】【課題】書籍などの陳列物を扉板の前面などの任意の高さ位置や任意の段数など、自由度の高いディスプレイを行うことを可能とする。【解決手段】家具１１における開閉体３５の正面３７に左右一対で並列構成されるとともに上下方向に所定間隔で複数対となって設けられる取付凹部４１と、取付凹部４１に着脱自在に取り付けられる左右一対の係止部材４３と、係止部材４３に係合する取付基部５９を左右両端に備え、開閉体３５の正面３７に水平となって取り付けられる支持部材５１と、を具備し、正面３７の所望の高さ位置における一対の取付凹部４１に係止部材４３を介して支持部材５１を取り付けて、支持部材５１上に正面３７に沿わせて陳列物Ｅを配置させることを特徴とする。【選択図】  図１
2013226201.tif 000002
【特許請求の範囲】
【請求項１】
家具における開閉体の正面に左右一対で並列構成されるとともに上下方向に所定間隔で複数対となって設けられる取付凹部と、
該取付凹部に着脱自在に取り付けられる左右一対の係止部材と、
該係止部材に係合する取付基部を左右両端に備え、前記開閉体の正面に水平となって取り付けられる支持部材と、
を具備し、
前記正面の所望の高さ位置における前記一対の取付凹部に前記係止部材を介して前記支持部材を取り付けて、該支持部材上に前記正面に沿わせて陳列物を配置させることを特徴とする家具の構造。
【請求項２】
家具における板部材の垂直面に凹設状態で設けられる複数の取付凹部と、
該複数の取付凹部におけるいずれかの取付凹部に着脱自在に取り付けられる係止部材と、
該係止部材に係合する取付基部を備え、前記板部材の垂直面に取り付けられる支持部材と、
を具備し、
前記垂直面の所望の高さ位置における前記取付凹部に前記係止部材を介して前記支持部材を取り付けて、該支持部材に前記垂直面に沿わせて陳列物を配置させることを特徴とする家具の構造。
【請求項３】
前記板部材は家具を構成する扉とされ、前記垂直面は該扉の前面であることを特徴とする請求項２記載の家具の構造。
【請求項４】
前記支持部材は、真直なレール状部材と、該レール状部材の取付位置より上方に位置する左右一対の前記取付凹部に取り付けられる枠状部材とで構成され、前記陳列物を前記レール状部材に載置するとともに前記枠状部材にて支持することを特徴とする請求項１又は２又は３記載の家具の構造。
【請求項５】
前記レール状部材は、断面略Ｌ字形状の連続体よりなる支持縁を備えた横桟形状に形成されることを特徴とする請求項４記載の家具の構造。
【請求項６】
前記枠状部材は、前記左右一対の取付凹部のそれぞれに螺着される左右一対の係止金具と両係止金具に架け渡される伸縮自在な紐部材よりなる落下防止体とで組み合わされ、前記レール状部材の取り付けられる位置と離間した位置で取り付けられることを特徴とする請求項４又は５記載の家具の構造。
【請求項７】
前記取付凹部は雌ねじを備えており、
前記係止部材は前記雌ねじに螺合する雄ねじ部を基端に備えていることを特徴とする請求項１，２，３，４，５，６のいずれか１つに記載の家具の構造。
【請求項８】
前記係止部材は前記基端に対して延出する軸状に形成され、先端に膨出形状の頭部を備えており、
前記支持部材の取付基部には、該支持部材に表出する操作部による回転操作によって前記係止部材の頭部を保持し係合状態とする締付部材が設けられていることを特徴とする請求項７記載の家具の構造。
【発明の詳細な説明】
【技術分野】
【０００１】
本発明は、キャビネットなどの収納家具や書架などの家具の構造に関するものである。
【背景技術】
【０００２】
所蔵する書籍や雑誌などを陳列物としてディスプレイする構造を備えたキャビネットなどの収納家具や書架などがある（特許文献１）。このキャビネットは、開口面に開閉自在な扉が設けられ、扉は上縁が支持されて下縁が揺動し開閉自在とされるとともに、上縁側の支持部分が収納部内にスライドし、扉が棚板の下面に沿って収納される。扉には前面に受溝と支枠とが設けられ、これら受溝に書籍などの陳列物を載置させ、支枠に支持させるようになっている。
【先行技術文献】
【特許文献】
【０００３】
【特許文献１】実公平３−１６３８６号公報
【発明の概要】
【発明が解決しようとする課題】
【０００４】
しかしながら、上述した従来のキャビネットでは、側板又は中仕切と棚板とに囲まれた収納空間に収容可能な幅長及び高さとなる大きさの扉板に限定され、且つ扉板を収納空間内に収納することからディスプレイ可能な陳列物の大きさ、特に厚みに制限があり、陳列可能な陳列物の大きさに自由度が少なく、十分な汎用性を得られない欠点を有している。また、ディスプレイするための構造である受溝と支枠とは、扉の前面に固定構造であることで、全ての扉に同じ大きさの陳列構造を備えることとなり、陳列物の大小を限定しないものの、例えば小型の陳列物用に小さく構成したいなどの適応が不可能であり、さらには、１つの扉に複数段で陳列することも不可能である。
【０００５】
そこで本発明は、上記問題点を解消するために、扉板の前面などに書籍やその他の形状の陳列物を任意の高さ位置や、任意の段数など、自由度の高いディスプレイを行うことのできる家具の構造を提供することを目的としている。
【課題を解決するための手段】
【０００６】
次に、上記の課題を解決するための手段を、実施の形態に対応する図面を参照して説明する。
本発明の請求項１記載の家具の構造は、家具１１における開閉体３５の正面３７に左右一対で並列構成されるとともに上下方向に所定間隔で複数対となって設けられる取付凹部４１と、
該取付凹部４１に着脱自在に取り付けられる左右一対の係止部材４３と、
該係止部材４３に係合する取付基部５９を左右両端に備え、前記開閉体３５の正面３７に水平となって取り付けられる支持部材５１と、
を具備し、
前記正面３７の所望の高さ位置における前記一対の取付凹部４１に前記係止部材４３を介して前記支持部材５１を取り付けて、該支持部材５１上に前記正面３７に沿わせて陳列物Ｅを配置させることを特徴とする。
【０００７】
この家具の構造では、家具１１を構成する扉などの開閉体３５の正面３７に、左右一対の係止部材４３が取り付けられ、さらにこれら係止部材４３を介して、支持部材５１が所望の高さ位置となって着脱自在に取り付けられる。開閉体３５の正面３７に水平に取り付けられた支持部材５１には、陳列物Ｅが配置され正面３７に沿ってディスプレイされる。
【０００８】
本発明の請求項２記載の家具の構造は、家具１１における板部材１５の垂直面９１に凹設状態で設けられる複数の取付凹部４１と、
該複数の取付凹部４１におけるいずれかの取付凹部４１に着脱自在に取り付けられる係止部材４３と、
該係止部材４３に係合する取付基部５９を備え、前記板部材１５の垂直面９１に取り付けられる支持部材５１と、
を具備し、
前記垂直面９１の所望の高さ位置における前記取付凹部４１に前記係止部材４３を介して前記支持部材５１を取り付けて、該支持部材５１に前記垂直面９１に沿わせて陳列物Ｅを配置させることを特徴とする。
【０００９】
この家具の構造では、家具１１を構成する扉３５や側板１５などの垂直面９１（３７，３８）に配設された取付凹部４１に、係止部材４３が取り付けられ、さらにこの係止部材４３を介して、支持部材５１が所望の高さ位置となって着脱自在に取り付けられる。垂直面９１に取り付けられる支持部材５１は、例えば水平とされ、この支持部材５１には、陳列物Ｅが配置され垂直面９１に沿ってディスプレイされる。
【００１０】
本発明の請求項３記載の家具の構造は、請求項２記載の家具の構造において、前記板部材は家具を構成する扉３５とされ、前記垂直面は該扉３５の前面３７であることを特徴とする。
【００１１】
この家具の構造では、家具１１の扉３５の前面３７に、支持部材５１が取り付けられ、陳列物Ｅは家具１１の正面における所望の位置に配置されディスプレイされる。
【００１２】
本発明の請求項４記載の家具の構造は、請求項１又は２又は３記載の家具の構造において、
前記支持部材５１は、真直なレール状部材５３と、該レール状部材５３の取付位置より上方に位置する左右一対の前記取付凹部４１に取り付けられる枠状部材５５とで構成され、前記陳列物Ｅを前記レール状部材５３に載置するとともに前記枠状部材５５にて支持することを特徴とする。
【００１３】
この家具１１の構造では、支持部材５１のレール状部材５３に陳列物Ｅが載置され、陳列物Ｅの上部を枠状部材５５が支持する。陳列物Ｅは安定して扉３５などの正面３７に沿ってディスプレイされる。
【００１４】
本発明の請求項５記載の家具の構造は、請求項４記載の家具の構造において、
前記レール状部材５３は、断面略Ｌ字形状の連続体よりなる支持縁５７を備えた横桟形状に形成されることを特徴とする。
【００１５】
この家具の構造では、レール状部材５３の支持縁５７により、レール状部材５３に載置された陳列物Ｅが滑り落ちるようなことがなく、安定してディスプレイ状態となる。
【００１６】
本発明の請求項６記載の家具の構造は、請求項４又は５記載の家具の構造において、
前記枠状部材５５は、前記左右一対の取付凹部４１のそれぞれに螺着される左右一対の係止金具７９と両係止金具７９に架け渡される伸縮自在な紐部材よりなる落下防止体８１とで組み合わされ、前記レール状部材５３の取り付けられる位置と離間した位置で取り付けられることを特徴とする。
【００１７】
この家具の構造では、一対の係止金具７９がレール状部材５３と離間した例えば上方に取り付けられ、これら係止金具７９に落下防止体８１が取り付けられる。これにより、陳列物Ｅがディスプレイされる状態を枠状部材５５が支持するとともに、この落下防止体８１によれば、伸縮自在であることで、陳列物Ｅの形状が書籍や紙束状など薄いものに限定されず、厚みのある形状や、複数冊の書籍なども保持することができる。
【００１８】
本発明の請求項７記載の家具の構造は、請求項１，２，３，４，５，６のいずれか１つに記載の家具の構造において、
前記取付凹部４１は雌ねじを備えており、
前記係止部材４３は前記雌ねじに螺合する雄ねじ部４５を基端に備えていることを特徴とする。
【００１９】
この家具の構造によれば、取付凹部４１に対して係止部材４３を螺着固定することができ、取付凹部４１に対して係止部材４３を簡単に脱着することができるとともに、取付状態においては強固なものとなり、家具１１の扉などの開閉体３５や板部材１５に対して、容易に抜け落ちることがない。
【００２０】
本発明の請求項８記載の家具の構造は、請求項７記載の家具の構造において、
前記係止部材４３は前記基端に対して延出する軸状に形成され、先端に膨出形状の頭部４７を備えており、
前記支持部材５１の取付基部５９には、該支持部材５１に表出する操作部７１による回転操作によって前記係止部材４３の頭部４７を保持し係合状態とする締付部材６９が設けられていることを特徴とする。
【００２１】
この家具の構造によれば、係止部材４３が螺着により開閉体３５や板部材１５に取り付けられ、取り付けられた係止部材４３の先端頭部４７に、締付部材６９を回転操作することで支持部材５１を取り付ける。締付部材６９は、係止部材４３に対して操作部７１の回転で係合し、逆回転させることでその係合状態を解く。これにより係止部材４３に対する支持部材５１の脱着が行える。
【発明の効果】
【００２２】
本発明による請求項１記載の家具の構造では、家具を構成する開閉体の正面に、左右一対の係止部材が取付凹部にそれぞれ取り付けられ、さらにこれら係止部材を介して支持部材が所望の高さ位置となって着脱自在に取り付けられるので、家具の開閉体に対して任意の高さ位置に陳列物を並べられる支持部材を取り付けることができ、また複数段の支持部材を取り付けることも可能となり、自由度の高いディスプレイを行うことができる。
【００２３】
請求項２記載家具の構造では、家具を構成する扉や側板などの板部材における垂直面に配設された複数の取付凹部に係止部材が取り付けられ、さらにこの係止部材を介して、支持部材が所望の高さ位置となって着脱自在に取り付けることができ、垂直面に取り付けられる支持部材を例えば水平とすることで、支持部材に陳列物が配置され垂直面に沿ってディスプレイすることができる。
【００２４】
請求項３記載の家具の構造では、家具の扉の前面に支持部材が取り付けられることで、陳列物は家具の正面における所望の高さ位置、所望の段数で配置されディスプレイすることができる。
【００２５】
請求項４記載の家具の構造では、支持部材のレール状部材に陳列物が載置されるとともに、陳列物の上部を枠状部材が支持することができ、陳列物が安定して扉などの正面に沿ってディスプレイすることができる。
【００２６】
請求項５記載の家具の構造では、レール状部材の支持縁により、レール状部材に載置された陳列物が滑り落ちるようなことがなく、安定してディスプレイ状態となる。
【００２７】
請求項６記載の家具の構造では、一対の係止金具がレール状部材と離間した例えば上方に取り付けられ、これら係止金具に落下防止体が取り付けられることで、陳列物がディスプレイされる状態を枠状部材が支持するとともに、この落下防止体が伸縮自在であることで、陳列物の形状に問わず保持することができる。
【００２８】
請求項７記載の家具の構造によれば、取付凹部に対して係止部材を螺着固定することができ、取付凹部に対して係止部材を簡単に脱着することができるとともに、取付状態においては強固なものとなり、家具の扉などの開閉体や板部材に対して、容易に抜け落ちることがない。
【００２９】
請求項８記載の家具の構造によれば、開閉体や板部材に取り付けられた係止部材の先端頭部に、締付部材を操作部の回転操作で係合させ取り付けることができ、また、逆回転させることでその係合状態を解くことが可能となり支持部材の脱着が容易に行える。
【図面の簡単な説明】
【００３０】
【図１】本発明に係る実施形態の家具の構造を示す斜視図である。
【図２】図１に示した家具の構造における要部の拡大分解斜視図である。
【図３】同家具の構造における係止部材と支持部材を構成するレール状部材の扉への取付手順を（ａ），（ｂ）に示した図である。
【図４】実施形態の変形例に係る家具の構造の斜視図である。
【図５】実施形態の変形例に係る家具の構造の斜視図である。
【図６】実施形態の変形例に係る家具の構造の斜視図である。
【図７】実施形態の変形例に係る家具の構造の斜視図を（ａ），（ｂ）に示した図である。
【図８】実施形態の変形例に係る家具の構造の斜視図である。
【図９】実施形態の変形例に係る家具の構造の斜視図を（ａ），（ｂ）に示した図である。
【発明を実施するための形態】
【００３１】
図１は本発明に係る実の形態の家具の構造を示す斜視図、図２は図１に示した家具の構造における要部の拡大分解斜視図である。
本実施形態の家具１１は、天板１３と左右側板１５と底板１７及び台輪１９とで略矩形箱型に構成される書架や飾り棚などである。例えば図１に示すように、左半部を前面開放棚部２１とされ、右半部を扉付棚部２３とされて構成される。前面開放棚部２１は、天板部２５、底板部２７、左右側板部２９、背板３１及び複数の棚板３３で構成され、各棚板３３は、図示しないダボとダボ穴などの係合構造にて所望の高さ位置に配置可能な構成とされる。なお、左半部の前面開放棚部２１は、図示しない機構により、天板１３と底板１７との間で左右方向に水平移動自在なスライド棚を構成しており、右半部の扉付棚部２３の前面扉３５を開放させた際に、スライド移動自在となっている。
【００３２】
扉付棚部２３の前面開口部分を覆う開閉体としての扉３５は、図示しない蝶番にて一側縁３６が側板１５に連結されており、開閉自在な構成とされる。本実施形態では、天板１３と底板１７との間に位置する１枚の板部材よりなる。正面となる扉３５の前面３７には、蝶番側の吊元に対する先端縁側に取手３９が設けられる。本実施形態では、垂直方向に真直に形成される枠棒状に形成されている。
【００３３】
扉３５の前面３７には、左右の縁部分に沿って左右一対で並列構成されるとともに、上下方向に所定間隔、好ましくは等間隔となり、すなわち水平方向に離間配置とされ且つ垂直方向に所定間隔とされて、上下方向に複数対となって取付凹部４１が設けられる。各取付凹部４１は略円筒状で雌ねじを備えており、扉３５の前面３７に対して突出することなく設けられる。この取付凹部４１は、例えば鬼目ナットなどよりなり、扉前面３７に埋設状態で強固に固定される。
【００３４】
取付凹部４１に取り付けられる係止部材４３は、金属製の真直な軸状に形成されており、基端に雄ねじ部４５が形成されるとともに、先端に膨出形状の頭部４７を備えている。係止部材４３は、取付凹部４１の雌ねじに基端の雄ねじ部４５を螺合させることで着脱自在に取り付けられ、取り付けられた状態では扉前面３７より水平方向に突出する。また、この係止部材４３は、左右一対で構成される。なお、この係止部材４３の頭部には、後述するプラスドライバーなどの工具Ｔが嵌合する凹溝４８が形成されている。
【００３５】
扉３５の前面３７には、左右で対となる取付凹部４１に、左右一対となって取り付けられる係止部材４３を介して支持部材５１が取り付けられる。支持部材５１は、本実施形態では、レール状部材５３と枠状部材５５とで構成される。
レール状部材５３は、本実施形態では上縁に突条形状の支持縁５７が形成された断面略Ｌ字形状の真直な連続体よりなる。好ましくは、このレール状部材５３の素材は、家具本体１１と同素材の木質材とされ、その長さは扉３５の幅長程度とされる。レール状部材５３の左右両端部分は、取付基部５９とされる。これら左右の取付基部５９の離間距離は、扉前面３７に設けられる取付凹部４１の配設間隔と略同等とされる。取付基部５９の前記扉前面３７に対向する当接面６１には、係止部材４３が挿入される挿入穴６３が形成される。またレール状部材５３の両端面となる取付基部５９の端面６５には、穴部６７が穿設されている。挿入穴６３と穴部６７とは、それぞれの軸線が直交し取付基部５９内で連通される。左右の各挿入穴６３の位置は、本実施形態では、左右一対の取付凹部４１に対応し、すなわちこれら取付凹部４１に取り付けられた一対の係止部材４３がそれぞれ挿入される。この挿入穴６３にて係止部材４３の頭部４７に対し係合することで、この係止部材４３を介し扉前面３７にレール状部材５３が取り付けられる。
【００３６】
取付基部５９に形成された穴部６７には、締付部材６９が設けられる。締付部材６９は、軸線を水平方向とする略円筒形状に形成され、平滑な端面に操作部７１を有しているとともに、外周面に係止部材４３の頭部４７が進入可能な挿入部７３と、この挿入部７３に連通し周面に沿って形成される幅狭なカム溝７５とを具備している。締付部材６９は、レール状部材５３の端面６５に形成される穴部６７に挿着され、この端面６５に操作部７１が表出状態とされる。そして、挿入部７３は穴部６７内にて挿入穴６３に対向配置する。これにより係止部材４３の頭部４７が、挿入穴６３を貫通し挿入部７３内に進入することとなる。なお、操作部７１には、後述するプラスドライバーなどの工具Ｔが嵌合する凹溝７７が形成されている。
【００３７】
枠状部材５５は、左右一対の係止金具７９と、落下防止体８１とで構成される。係止金具７９は、基端に取付凹部４１の雌ねじに螺着するネジ部を備え、本実施形態では先端が湾曲形成され、略Ｕ字形或いは略Ｖ字形のフック部材状に形成されている。落下防止体８１は、左右に離間配置となる各係止金具７９に架け渡される長体で、本実施形態では伸縮自在な紐部材、例えばゴム紐などより構成される。この枠状部材５５は、レール状部材５３の取り付けられる位置とは離間した位置で扉３５の前面３７に取り付けられ、例えばレール状部材５３の取付位置より上方に位置される。そして、扉３５の前面３７に係止部材４３を介して取り付けられるレール状部材５３に陳列物Ｅが載置された状態で、この陳列物Ｅの上部を枠状部材５５の落下防止体８１にて支持する。なお、落下防止体８１は、図１に示すようにレール状部材５３と平行となって配設されるだけでなく、レール状部材５３の上方の左右に位置する取付凹部４１において、その高さ位置を異なるように係止金具７９を配置して、落下防止体８１を斜めに配設することとしても良い。落下防止体８１は、伸縮自在な紐部材よりなることで、左右の係止金具７９の離間距離が変わっても伸縮することで対応が可能である。落下防止体８１が斜めに配設可能とされることで、例えばレール状部材５３上の複数の陳列物Ｅの高さがそれぞれ異なる場合にも、それぞれを支持することが可能となる。また、この落下防止体８１は、１つのレール状部材５３に対して１つのみ対応させ取り付けるのではなく、１つのレール状部材５３に２つの落下防止体８１をそれぞれ平行に、或いは交差させて対応させ配設する構成としても良い。
【００３８】
次に、上記家具１１の構造の作用を説明する。
図３は係止部材４３と支持部材５１を構成するレール状部材５３の扉３５への取付手順を示す斜視図である。
まず、係止部材４３を扉３５の前面３７に設けられている取付凹部４１に取り付ける。取付凹部４１は、図１に示すように、左右で一対とされるとともに、上下方向に等間隔となる複数組みとなっており、これらの取付凹部４１の所望の高さ位置に、係止部材４３をそれぞれ螺合させる。図３（ａ）に示すように、この螺着作業は、プラスドライバーなどの工具Ｔを用いることで行う。
【００３９】
左右それぞれの係止部材４３は扉前面３７に突出状態となり、取り付けられた後に、支持部材５１のレール状部材５３が取り付けられる。レール状部材５３は、予め左右両端に締付部材６９が挿着されている。レール状部材５３の左右の取付基部５９に穿設された挿入穴６３へ係止部材４３を挿入させ、当接面６１を扉前面３７に対向当接させる。挿入時は、締付部材６９の挿入部７３が対応しており、締付部材６９の内方に係止部材４３の頭部４７が進入する。
【００４０】
次に、レール状部材５３の両端において、プラスドライバーなどの工具Ｔを使用して、取付基部５９の端面６５に表出している締付部材６９の操作部７１を回転操作する。操作部７１を回転操作することで、係止部材４３の頭部４７が、挿入部７３からカム溝７５内に進入し、幅狭に形成され蟻溝状となるカム溝７２内で頭部４７が係合状態となる。締付部材６９は、およそ９０〜１８０°の回転操作により、カム溝７５内への頭部４７の保持及び係合が行われ、左右それぞれの締付部材６９の回転操作が完了することで、レール状部材５３が扉３５の前面３７に水平となって取り付けられる。
【００４１】
次に、取り付けられたレール状部材５３の上方に枠状部材５５を取り付ける。まず、枠状部材５５を構成する一対の係止金具７９を、左右一対の取付凹部４１にそれぞれ螺着させる。次に、左右の係止金具７９に対して環状に形成されたゴム紐状の落下防止体８１を掛ける。落下防止体８１は、図１に示すようにレール状部材５３と平行となる。
【００４２】
そして、図１に示すように、陳列物Ｅとしての書籍などをレール状部材５３に載置させるとともに、落下防止体８１に掛けて上部を保持させ、ディスプレイとする。さらに別の位置に支持部材５１を取り付けるには、上記手順を繰り返して扉前面３７に複数段に構成可能である。また、レール状部材５３のみで陳列物Ｅを載置することとしても良く、例えば高さの小さい陳列物Ｅなどの場合には、図１に示すように枠状部材５５を使用せず、レール状部材５３のみで構成する。
なお、支持部材５１の高さを変更したい場合、或いは取り除く場合には、左右両端の締付部材６９を、取付時とは反対の方向に回転操作することで、係止部材４３との係合状態が解かれ、これにより係止部材４３からレール状部材５３が抜脱可能となり、そして係止部材４３の取付凹部４１への螺着を解き、取り外す手順となる。
【００４３】
従ってこのように構成された家具の構造では、家具１１を構成する扉３５の前面３７に対して、任意の高さ位置となる取付凹部４１に支持部材５１を取り付けることが可能となって、陳列物Ｅのディスプレイを行うことが可能となるとともに、陳列物Ｅの大きさに合せて支持部材５１の位置を上下に移動させ取付配置でき、且つ多段に支持部材５１を取付配置でき、扉３５の前面３７の有効利用が可能となる。
【００４４】
また、扉３５の前面３７の全体において任意の位置にディスプレイすることができるもので、扉３５自体は、家具１１としての通常の高さ及び幅長の大きさ、すなわち扉前面３７にディスプレイする陳列物Ｅの大きさに依存されることなく家具１１としての通常の扉３５で構成されており、家具１１内に収納する物が取捨選択されてしまうことがなく、収納家具として汎用性が高いものである。
【００４５】
さらに、支持部材５１の素材、特にレール状部材５３の素材を扉３５等の家具本体１１の素材と合せることが可能であり、意匠性を損ねることなく、且つ陳列物Ｅをディスプレイすることのできる家具１１を得ることが可能である。
【００４６】
さらに、支持部材５１を構成するレール状部材５３に支持縁５７が形成されることで、陳列物Ｅの滑り落ちなどが防止され、陳列物Ｅが扉前面３７に沿ってディスプレイでき、また、落下防止体８１を備える枠状部材５５により、陳列物Ｅが容易に落下することがなく、扉３５の開閉時に不安がないものである。
【００４７】
なお、上述した実施の形態では、枠状部材５５を係止金具７９と落下防止体８１とで構成する例について述べたが、図４に示すように、針金状のコ字状枠を枠状部材８３として構成しても良い。このコ字状枠８３は、真直な保持部８５と、この保持部８５の左右両端をＬ字状に屈曲形成して、各端部に雄ねじ構造を設けた構成とする。そして、両端の雄ねじ部分を取付凹部４１の雌ねじに螺着させることで扉前面３７に取り付ける。上述したゴム紐状の落下防止体８１のように伸縮せず、剛性のある構造となり、撓むことなく陳列物Ｅを支持することが可能となる。
【００４８】
また、支持部材５１の構成を、上述したレール状部材５３を２つ１組として構成し、図５に示すように、支持縁５７を向かい合わせ、上下に位置するフレーム枠構造として構成してもよい。この支持部材５１の構成では、取付凹部４１の上下方向の配設間隔に合うサイズの陳列物Ｅに好ましく、上下に同質な木質材よりなるレール状部材５３を配置することができ、家具としての見栄えも向上する。
【００４９】
さらに、図６に示すように、レール状部材５３を３つで１組として支持部材５１を構成することとしても良く、水平な下縁部材と、垂直な左右の枠縁部材との構造となり、三方を支持する構成とする。この支持部材５１の構造によれば、それぞれが真直な剛体で、各支持縁５７により囲まれる構成とされる。このような構成であれば、陳列物Ｅが左右方向にも保持されることとなり、扉面３７から落下するようなことがない、
【００５０】
また、上述した各実施形態では、支持部材５１は、扉前面３７の取付凹部４１を左右一対で使用して、陳列物Ｅを保持することとする構造とされているが、複数の取付凹部４１に対して、必ずしも左右一対で使用することはなく、１つのみで使用することとしても良い。例えば、図７（ａ）に示すように、フック形状の支持部材８７とされ、上記同様の締付部材６９を備える構成とし、この締付部材６９にて係止部材４３を介し取り付けられる構成とすれば、扉３５の前面３７に引掛けフックが突設され、図示するような、巾着袋Ｅ１等を吊るすことなどが行える。
【００５１】
さらに、上下方向に配置される取付凹部４１の縦位置の隣り合う取付凹部４１を使用して、上下に対となる締付部材６９を備えた支持部材８９を構成してもよく、例えば図７（ｂ）に示すように、小物入れなどを構成し、支持部材８９としてペン立てとして利用したり、防水加工を施し花瓶を構成して花卉を飾るなどとしても良い。また、このような扉３５の一側部分に取り付けられる構成とされることで、扉３７の取手を兼用することも可能である。
【００５２】
また、上述した各実施形態では、係止部材４３及び支持部材５１を扉３５の前面３７に設ける例として説明したが、これら係止部材４３及び支持部材５１及び取付凹部４１は、扉３５の裏面３８やその他の家具１１を構成する板部材、例えば側板１５などの垂直面９１に配設することとしても良い。例えば、図８に示すように、扉３５の内面３８に係止凹部４１を左右一対で上下方向に所定間隔として複数設け、これら係止凹部４１の任意の高さ位置に係止部材４３を取り付けて、支持部材５１であるレール状部材５３と枠状部材５５とを配設する。このような構成とすれば、扉開放時に見ることのできる陳列物Ｅを、扉内面３８に沿って配置でき、また、陳列物Ｅとして鏡を配置するなども可能となる。さらに、図示のように、家具１１の内部となる側板内面９１に配設する構成としても良い。このような、側板１５の内面９１とすれば、棚板９３を取り付けるためのダボ穴を兼用することが可能となる。さらに、背板内面としても良く、また、家具１１としての背面外側に配置することも可能である。また、上述した実施形態では開閉体として扉３５を例に説明したが、扉３５の他に、引出しに構成することとしてもよく、引出しの前面板に、上記同様に取付凹部４１を設けて、係止部材４３を介して支持部材５１を設けることとしても良い。
【００５３】
さらに、上記したような家具内部に係止部材４３及び支持部材とを取り付ける構成としては、図９（ａ）に示すように、支持部材９５の構造を小幅な棚板状に形成し、側板内面９１に取り付ける構成としても良く、家具内部において左右に亘って設けられる棚板９３とは別に左右いずれか一方の側板内面９１に片持ち棚板状に構成させて、例えば装身具などを載置させることが可能となる構成としても良い。このような片持ち棚板形状の支持部材９５としては、例えば、トレー状に上面に窪みを形成することとしても良く、載置される装身具等の落下を防ぐことが可能となる。
また、図９（ｂ）に示すように、支持部材９７の形状を、左右両端部分の各取付基部９９をそれぞれブロック状に形成して、これら取付基部９９に架け渡されるように杆状部材１０１を設ける構成などとしても良く、例えば、杆状部材１０１に、ネクタイやベルトなどを掛けることが可能となる。
【００５４】
さらに、本発明の家具の構造として、図示しないが、係止部材の形状は軸状に限定されることはなく、また、取付凹部に雌ねじを設け係止部材に雄ねじ部を備える構造に限定されることはない。例えば、係止部材をＶ字形のフック状として構成し、取付凹部に対して着脱自在として、左右一対で扉の前面に取り付けられる構成としても良く、これら左右のフック形状の係止部材に対して支持部材が取り付けられるような構造としても良い。
また、取付凹部は、扉を貫通して設けることとしても良く、このような構成とすれば、扉の内外両面に取付凹部が同じピッチで配設されることとなり、扉の前面（外面，表面）と内面（裏面）とに支持部材を配設でき、種々の陳列を構成することができる。
【符号の説明】
【００５５】
１１…家具
１５…板部材（側板）
３５…開閉体（扉）
３７…正面（前面）
４１…取付凹部
４３…係止部材
４５…雄ねじ部
４７…頭部
５１，８７，８９，９５，９７…支持部材
５３…レール状部材
５５…枠状部材
５７…支持縁
５９…取付基部
６９…締付部材
７１…操作部
７９…係止金具
８１…落下防止体
９１…垂直面
Ｅ…陳列物
【図１】
2013226201.tif 000003
【図２】
2013226201.tif 000004
【図３】
2013226201.tif 000005
【図４】
2013226201.tif 000006
【図５】
2013226201.tif 000007
【図６】
2013226201.tif 000008
【図７】
2013226201.tif 000009
【図８】
2013226201.tif 000010
【図９】
2013226201.tif 000011